(57)【要約】【課題】印刷機能付きダビングシステムにおいて、コンテンツのダビング時に、コンテンツの画像の印刷完了までに要する時間を短縮でき、ユーザによる使い勝手を良くする。【解決手段】印刷機能付きダビングシステムは、ＴＶ受像機と、ＤＶＤレコーダと、プリンタとを含む。コンテンツのダビングが指示されると、ＤＶＤレコーダは、ダビングを開始し（Ｓ１）、ダビング中のコンテンツの画像をＴＶ受像機に表示させる（Ｓ２）。そして、ＤＶＤレコーダは、ユーザによって印刷ボタンが操作されると（Ｓ３）、ボタン操作時の画像をメモリに記憶し（Ｓ４）、ダビングが終了したときに（Ｓ５でＹＥＳ）、記憶されている画像に基づく印刷データを生成し、プリンタに送信する（Ｓ６）。プリンタ４は、ＤＶＤレコーダから印刷データを受信し（Ｓ７）、この印刷データに基づき、印刷用紙や、レーベルプリント対応ＤＶＤディスクに印刷を行う（Ｓ８）。【選択図】図６
2011198418.tif 000002
【特許請求の範囲】
【請求項１】
光ディスクにコンテンツをダビング可能な光ディスク装置と、該光ディスク装置と接続され、画像を形成可能な画像形成装置とを含み、
前記光ディスク装置は、
コンテンツを記録可能な記録媒体と、
ユーザにより操作される操作手段と、
画像を表示可能な外部機器に対して、画像を出力する画像出力手段と、
コンテンツを記録可能な光ディスクを装着する装着部と、
前記装着部に装着された光ディスクに、前記記録媒体に記録されているコンテンツのコピーの記録（以下、ダビングという）を行うダビング手段と、
前記画像形成装置に対して、印刷データを送信する印刷データ送信手段と、
前記光ディスク装置の各部を制御する光ディスク装置制御手段とを備え、
前記画像形成装置は、
印刷媒体上に画像を形成する画像形成手段と、
前記光ディスク装置から送信される印刷データを受信する印刷データ受信手段と、
前記画像形成装置の各部を制御する画像形成装置制御手段とを備える印刷機能付きダビングシステムにおいて、
前記光ディスク装置制御手段は、
前記ダビング手段を用いてコンテンツをダビングしているときに、前記画像出力手段を用いて、ダビング中のコンテンツの画像を前記外部機器に出力して該外部機器に表示させ、
ユーザによって前記操作手段が操作されて、ダビング中のコンテンツの画像の中から、印刷したい画像が選択されると、前記ダビングが終了したときに、前記印刷データ送信手段を用いて、選択された画像に基づく印刷データを前記画像形成装置に送信し、
前記画像形成装置制御手段は、前記印刷データ受信手段を用いて前記光ディスク装置から受信した前記印刷データに基づき、前記画像形成手段を用いて該印刷媒体上に画像を形成することを特徴とする印刷機能付きダビングシステム。
【請求項２】
前記光ディスク装置制御手段は、前記ダビング手段を用いたコンテンツのダビングが終了したときに、前記印刷データ送信手段を用いて、前記選択された画像に基づく印刷データに加えて、ダビングしたコンテンツの内容を示すコンテンツ情報に基づく情報印刷データを前記画像形成装置に送信し、
前記画像形成装置制御手段は、前記印刷データ受信手段を用いて受信した前記印刷データと前記情報印刷データとに基づき、前記画像形成手段を用いて前記印刷媒体上に画像を形成することを特徴とする請求項１に記載の印刷機能付きダビングシステム。
【請求項３】
前記光ディスク装置と、前記画像形成装置とは、同一筐体内に一体的に形成され、
前記光ディスクは、印刷可能な面を有する印刷媒体であり、
前記画像形成装置制御手段は、前記印刷データ受信手段を用いて前記光ディスク装置から受信した前記印刷データに基づき、前記画像形成手段を用いて前記光ディスクの印刷可能な面上に画像を形成することを特徴とする請求項１に記載の印刷機能付きダビングシステム。
【請求項４】
前記光ディスク装置制御手段は、前記ダビング手段を用いたコンテンツのダビングが終了したときに、前記印刷データ送信手段を用いて、前記選択された画像に基づく印刷データに加えて、ダビングしたコンテンツの内容を示すコンテンツ情報に基づく情報印刷データを前記画像形成装置に送信し、
前記画像形成装置制御手段は、前記印刷データ受信手段を用いて受信した前記印刷データと前記情報印刷データとに基づき、前記画像形成手段を用いて前記光ディスクの印刷可能な面上に画像を形成することを特徴とする請求項３に記載の印刷機能付きダビングシステム。
【発明の詳細な説明】
【技術分野】
【０００１】
本発明は、コンテンツを光ディスクにダビング可能な光ディスク装置と、プリンタとを含む印刷機能付きダビングシステムに関する。
【背景技術】
【０００２】
従来から、図１３に示すように、ＰＣ（パーソナルコンピュータ）１０１とプリンタ１０２とをＵＳＢケーブル１０３で接続したプリントシステム１００が知られている。このプリントシステム１００では、ＰＣ１０１がプリンタドライバを用いてプリンタ１０２に対応する印刷データを生成し、生成したデータをＵＳＢケーブル１０３を介してプリンタ１０２に送信する。そして、プリンタ１０２が、受信した印刷データに基づき印刷を行う。
【０００３】
ところで、近年、ＤＶＤディスクにコンテンツをダビング可能なＤＶＤレコーダが普及している。ユーザは、このＤＶＤレコーダを用いてコンテンツをＤＶＤディスクにダビングした後、ＤＶＤディスクにどのコンテンツがダビングされているのかを分かりやすくするために、ＤＶＤディスクと、ダビングしたコンテンツ内のタイトル画像等を印刷した用紙とを一緒に保管するケースが多い。また、ユーザによっては、表面に印刷可能であるレーベルプリント対応ＤＶＤディスクを用いて、コンテンツのタイトル画像等をＤＶＤディスクの表面に直接印刷すると共に、このＤＶＤディスクにコンテンツをダビングして保管することもある。
【０００４】
しかしながら、上記プリントシステム１００を用いて印刷を行う場合、ユーザは、ＤＶＤレコーダでコンテンツをダビングした後に、印刷したい画像をＰＣ１０１に取り込み、プリンタ１０２を用いて印刷を行わなければならないため、ユーザにとって手間が掛かり、使い勝手が悪いという問題がある。
【０００５】
これに対して、プリンタと接続可能なＤＶＤレコーダが知られている（特許文献１参照）。このＤＶＤレコーダは、ユーザによってリモコンの印刷ボタンが操作されると、接続しているプリンタに印刷データを送信し、プリンタが印刷を行うものである。このＤＶＤレコーダでは、上記のようにユーザがＰＣを操作する必要がなくなるため、ユーザの手間を軽減することができる。
【０００６】
しかしながら、上記ＤＶＤレコーダでは、印刷する画像としてコンテンツ内の任意の画像を選択する場合に、ダビング終了後に、コンテンツ内の画像を表示させてユーザが選択しなければならない。すなわち、コンテンツのダビング終了後に、ダビングしたコンテンツを再生して画像を表示させて、ユーザが任意の画像を選択し、選択された画像をプリンタが印刷する。従って、コンテンツのダビングを開始してから、コンテンツ内の任意の画像を印刷するまでに時間が掛かり、ユーザにとって使い勝手が悪い。
【０００７】
ところで、特許文献２には、動画データを供給する画像供給装置と、画像データを印刷する印刷装置とが通信可能に接続されたプリントシステムが開示されている。しかしながら、このシステムでは、上記問題を解決できない。また、特許文献３には、電子カメラを着脱可能に設け、装着された電子カメラから転送された画像データをプリント部に転送する接続基台を有する写真撮影装置が開示されている。しかしながら、この写真撮影装置では、上記問題を解決できない。
【０００８】
また、特許文献４には、ユーザがテレビモニタの静止画像を確認して、「印刷キー」を押下することにより、希望の映像を印刷可能である画像プリント出力機能付きデジタルテレビが開示されている。しかしながら、このテレビでは、上記問題を解決できない。
【先行技術文献】
【特許文献】
【０００９】
【特許文献１】特開２００６−２４４６５４号公報
【特許文献２】特開２００９−２１２９３４号公報
【特許文献３】特開２００８−１７５０６号公報
【特許文献４】特開２００３−１１０９５６号公報
【発明の概要】
【発明が解決しようとする課題】
【００１０】
本発明は、上述した問題点を解決するためになされたものであり、コンテンツのダビング時に、コンテンツの画像の印刷完了までに要する時間を短縮でき、ユーザによる使い勝手を良くすることが可能な印刷機能付きダビングシステムを提供することを目的とする。
【課題を解決するための手段】
【００１１】
上記目的を達成するために請求項１の発明は、光ディスクにコンテンツをダビング可能な光ディスク装置と、該光ディスク装置と接続され、画像を形成可能な画像形成装置とを含み、前記光ディスク装置は、コンテンツを記録可能な記録媒体と、ユーザにより操作される操作手段と、画像を表示可能な外部機器に対して、画像を出力する画像出力手段と、コンテンツを記録可能な光ディスクを装着する装着部と、前記装着部に装着された光ディスクに、前記記録媒体に記録されているコンテンツのコピーの記録（以下、ダビングという）を行うダビング手段と、前記画像形成装置に対して、印刷データを送信する印刷データ送信手段と、前記光ディスク装置の各部を制御する光ディスク装置制御手段とを備え、前記画像形成装置は、印刷媒体上に画像を形成する画像形成手段と、前記光ディスク装置から送信される印刷データを受信する印刷データ受信手段と、前記画像形成装置の各部を制御する画像形成装置制御手段とを備える印刷機能付きダビングシステムにおいて、前記光ディスク装置制御手段は、前記ダビング手段を用いてコンテンツをダビングしているときに、前記画像出力手段を用いて、ダビング中のコンテンツの画像を前記外部機器に出力して該外部機器に表示させ、ユーザによって前記操作手段が操作されて、ダビング中のコンテンツの画像の中から、印刷したい画像が選択されると、前記ダビングが終了したときに、前記印刷データ送信手段を用いて、選択された画像に基づく印刷データを前記画像形成装置に送信し、前記画像形成装置制御手段は、前記印刷データ受信手段を用いて前記光ディスク装置から受信した前記印刷データに基づき、前記画像形成手段を用いて該印刷媒体上に画像を形成するものである。
【００１２】
また、請求項２の発明は、請求項１に記載の印刷機能付きダビングシステムにおいて、前記光ディスク装置制御手段は、前記ダビング手段を用いたコンテンツのダビングが終了したときに、前記印刷データ送信手段を用いて、前記選択された画像に基づく印刷データに加えて、ダビングしたコンテンツの内容を示すコンテンツ情報に基づく情報印刷データを前記画像形成装置に送信し、前記画像形成装置制御手段は、前記印刷データ受信手段を用いて受信した前記印刷データと前記情報印刷データとに基づき、前記画像形成手段を用いて前記印刷媒体上に画像を形成するものである。
【００１３】
また、請求項３の発明は、請求項１に記載の印刷機能付きダビングシステムにおいて、前記光ディスク装置と、前記画像形成装置とは、同一筐体内に一体的に形成され、前記光ディスクは、印刷可能な面を有する印刷媒体であり、前記画像形成装置制御手段は、前記印刷データ受信手段を用いて前記光ディスク装置から受信した前記印刷データに基づき、前記画像形成手段を用いて前記光ディスクの印刷可能な面上に画像を形成するものである。
【００１４】
また、請求項４の発明は、請求項３に記載の印刷機能付きダビングシステムにおいて、前記光ディスク装置制御手段は、前記ダビング手段を用いたコンテンツのダビングが終了したときに、前記印刷データ送信手段を用いて、前記選択された画像に基づく印刷データに加えて、ダビングしたコンテンツの内容を示すコンテンツ情報に基づく情報印刷データを前記画像形成装置に送信し、前記画像形成装置制御手段は、前記印刷データ受信手段を用いて受信した前記印刷データと前記情報印刷データとに基づき、前記画像形成手段を用いて前記光ディスクの印刷可能な面上に画像を形成するものである。
【発明の効果】
【００１５】
請求項１の発明によれば、光ディスク装置は、コンテンツをダビングしているときに、ダビング中のコンテンツの画像を外部機器に表示させ、ユーザによってダビング中のコンテンツの画像の中から、印刷したい画像が選択されると、ダビングが終了したときに、選択された画像に基づく印刷データを画像形成装置に送信する。そして、画像形成装置は、光ディスク装置から受信した印刷データに基づき、印刷媒体上に画像を形成する。そのため、コンテンツのダビング時に、ダビングするコンテンツ内の任意の画像を印刷する際に、ユーザは、ダビング中に、コンテンツの画像の中から印刷したい画像を選択することができる。従って、従来のようにダビング終了後にコンテンツを表示させる必要がなくなり、ダビングを開始してから、ダビングするコンテンツ内の任意の画像の印刷完了までに要する時間を短縮でき、ユーザにとって使い勝手が良くなる。
【００１６】
請求項２の発明によれば、コンテンツのダビングが終了したときに、選択された画像に基づく印刷データに加えて、ダビングしたコンテンツの内容を示すコンテンツ情報に基づく情報印刷データを画像形成装置に送信し、画像形成装置は、印刷データと情報印刷データとに基づき、印刷媒体上に画像を形成する。そのため、上記の選択された画像に加えて、コンテンツ情報を印刷媒体上に画像形成することができるので、光ディスクにダビングされたコンテンツの内容が分かりやすくなり、ユーザにとって使い勝手がさらに良くなる。
【００１７】
請求項３の発明によれば、光ディスク装置と、画像形成装置とは、同一筐体内に一体的に形成されているので、ＵＳＢケーブル等の外部伝送ケーブルを用いることなしに、印刷データを送信できるため、印刷データの送受信が容易となる。また、１つの筐体でダビングと印刷を行うことができるため、光ディスク装置と画像形成装置とが別筐体である場合と比較して、必要なスペースが少なくなり、ユーザにとって使い勝手が良くなる。
【００１８】
また、画像形成装置は、印刷データに基づき、光ディスクの印刷可能な面上に、ダビング中のコンテンツの画像の中から選択された画像を形成するので、ユーザは、光ディスクの面上に形成された画像を見て、ダビングしたコンテンツの内容をすぐに判別することができる。
【００１９】
請求項４の発明によれば、ダビングが終了したときに、選択された画像に基づく印刷データに加えて、ダビングしたコンテンツの内容を示すコンテンツ情報に基づく情報印刷データを画像形成装置に送信し、画像形成装置が、受信した印刷データと情報印刷データとに基づき、光ディスクの印刷可能な面上に画像を形成する。そのため、上記の選択された画像に加えて、コンテンツ情報を光ディスクの面上に画像形成することができるので、光ディスクにダビングされているコンテンツの内容が分かりやすくなり、ユーザにとって使い勝手がさらに良くなる。
【図面の簡単な説明】
【００２０】
【図１】本発明の第１の実施形態に係るＤＶＤレコーダと、このＤＶＤレコーダに接続されたＴＶ受像機と、このＤＶＤレコーダに接続されたプリンタとを含む印刷機能付きダビングシステムを示す概略構成図。
【図２】上記ＴＶ受像機の内部構成を示すブロック図。
【図３】上記ＤＶＤレコーダの内部構成を示すブロック図。
【図４】上記ＤＶＤレコーダを操作するためにリモコンを示す上面図。
【図５】上記プリンタの内部構成を示すブロック図。
【図６】上記印刷機能付きダビングシステムにおけるダビング印刷処理の手順を示すフローチャート。
【図７】上記印刷機能付きダビングシステムの変形例を示す概略構成図。
【図８】本発明の第２の実施形態に係るＤＶＤレコーダと、このＤＶＤレコーダに接続されたＴＶ受像機とを含む印刷機能付きダビングシステムを示す概略構成図。
【図９】上記ＤＶＤレコーダの内部構成を示すブロック図。
【図１０】上記ＤＶＤレコーダ内のプリンタ部の内部構成を示すブロック図。
【図１１】上記印刷機能付きダビングシステムにおけるダビング印刷処理の手順を示すフローチャート。
【図１２】上記印刷機能付きダビングシステムの変形例を示す概略構成図。
【図１３】従来のプリントシステムを示す概略構成図。
【発明を実施するための形態】
【００２１】
以下、本発明の各実施形態に係る印刷機能付きダビングシステムについて、図面を参照して説明する。まず、本発明の第１の実施形態に係る印刷機能付きダビングシステムについて、図１乃至図５を参照して説明する。
【００２２】
図１は、テレビジョン（以下、ＴＶという）受像機（外部機器）２と、ＤＶＤレコーダ（光ディスク装置）３と、プリンタ（画像形成装置）４とを含む印刷機能付きダビングシステム１の概略構成を示し、図２は、ＴＶ受像機２の内部構成を示し、図３は、ＤＶＤレコーダ３の内部構成を示す。図４は、ＤＶＤレコーダ３に対して各種動作指示を行うためのリモコン５の上面を示し、図５は、プリンタ４の内部構成を示す。
【００２３】
ＴＶ受像機２とＤＶＤレコーダ３とはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル６を介して接続されており、ＴＶ受像機２は、ＤＶＤレコーダ３から出力される映像を表示可能である。ＤＶＤレコーダ３とプリンタ４とは、ＵＳＢ（Ｕｎｉｖｅｒｓａｌ  Ｓｅｒｉａｌ  Ｂｕｓ）ケーブル７を介して接続されており、プリンタ４は、ＤＶＤレコーダ３から送信された印刷データに基づき、印刷を行う。
【００２４】
図２に示すように、ＴＶ受像機２は、放送局から放送されるＴＶ放送信号に基づくＴＶ番組を受信するチューナ部２１と、チューナ部２１によって受信されたＴＶ番組やＤＶＤレコーダ３から受信したＴＶ番組等のコンテンツの映像を表示するディスプレイ２２と、ＴＶ番組等のコンテンツの音声を出力するスピーカ２３と、操作ボタン等を有する操作部２４とを備える。また、ＴＶ受像機２は、ＴＶ受像機２の筐体外部に露出するように設けられたＨＤＭＩ端子部２５と、各種情報を記憶したメモリ２６と、ＴＶ受像機２の各部を制御するための制御用マイコン２７とをさらに備える。
【００２５】
ＨＤＭＩ端子部２５には、ＤＶＤレコーダ３と接続されたＨＤＭＩケーブル６の一端が接続される。メモリ２６には、制御用マイコン２７を動作させるためのプログラム２６ａが記憶されている。
【００２６】
制御用マイコン２７は、映像出力部２７ａと、音声出力部２７ｂとを有し、ユーザによる操作部２４の操作等に基づいて自装置を動作させる。
【００２７】
映像出力部２７ａは、チューナ部２１によって受信されたＴＶ番組の映像や、ＨＤＭＩケーブル６を介してＤＶＤレコーダ３から受信したＴＶ番組等のコンテンツの映像をディスプレイ２２に出力する。音声出力部２７ｂは、チューナ部２１によって受信されたＴＶ番組の音声や、ＨＤＭＩケーブル６を介してＤＶＤレコーダ３から受信したＴＶ番組等のコンテンツの音声をスピーカ２３に出力する。
【００２８】
図３に示すように、ＤＶＤレコーダ３は、放送局から放送されるＴＶ放送信号に基づくＴＶ番組を受信するチューナ部３１と、リモコン５から送信されるリモコン信号を受信するリモコン信号受信部３２と、ＤＶＤレコーダ３の筐体外部に露出するように設けられたＨＤＭＩ端子部３３と、ＵＳＢインターフェース３４とを備える。また、ＤＶＤレコーダ３は、各種情報を記憶するメモリ３５と、ＴＶ番組を録画するハードディスク（請求項における記録媒体；以下、ＨＤＤという）３６と、アクセス部３７と、ＤＶＤディスクＤが装着される光ディスクドライブ（装着部）３８と、ＤＶＤレコーダ３内の各部の制御を行う制御用マイコン（光ディスク装置制御手段）３０とをさらに備える。
【００２９】
ＨＤＭＩ端子部３３には、ＴＶ受像機２と接続されたＨＤＭＩケーブル６の他端が接続される。ＵＳＢインターフェース３４には、プリンタ４と接続されたＵＳＢケーブル７の他端が接続される。メモリ３５には、制御用マイコン３０を動作させるためのプログラム３５ａや、印刷データを生成するためのプリンタドライバ３５ｂが記憶されている。
【００３０】
ＨＤＤ３６は、チューナ部３１によって受信されたＴＶ番組を録画する。アクセス部３７は、ＨＤＤ３６に対するＴＶ番組の書き込みや読み出しを行う。
【００３１】
光ディスクドライブ３８は、ＤＶＤディスク（光ディスク）Ｄが内部に装着され、ＤＶＤディスクＤからコンテンツを読み出す処理（再生処理）や、ＤＶＤディスクＤにコンテンツを書き込む処理（録画処理）や、ＨＤＤ３６に記録されたコンテンツのコピーを書き込む処理（ダビング処理）を行う。
【００３２】
制御用マイコン３０は、再生処理部（画像出力手段）３０ａと、録画処理部３０ｂと、ダビング処理部（ダビング手段）３０ｃと、印刷データ生成送信部（印刷データ送信手段）３０ｄとを有し、ユーザによるリモコン５の操作に基づいて自装置を動作させる。
【００３３】
再生処理部３０ａは、ＨＤＤ３６に記録されているＴＶ番組等のコンテンツや、光ディスクドライブ３８によってＤＶＤディスクｄから読み出されたコンテンツの再生を行い、再生されたコンテンツの映像信号及び音声信号をＨＤＭＩケーブル６を介してＴＶ受像機２に出力する処理を行う。録画処理部３０ｂは、チューナ部３１によって受信したＴＶ番組を、アクセス部３７を用いてＨＤＤ３６に録画する処理や、光ディスクドライブ３８を用いてＤＶＤディスクＤに録画する処理を行う。
【００３４】
ダビング処理部３０ｃは、光ディスクドライブ３８に装着されたＤＶＤディスクＤに、ＨＤＤ３６に記録されているコンテンツのコピーの記録（ダビング処理）を行う。印刷データ生成送信部３０ｄは、プリンタドライバ３５ｂを用いて、ユーザによって選択された画像等に基づく印刷データを生成し、生成した印刷データを、ＵＳＢケーブル７を介してプリンタ４に送信する印刷処理を行う。
【００３５】
図４に示すように、リモコン５は、「０」乃至「９」の１０個の数字に対応する「０」〜「９」の数字ボタン５１ａ〜５１ｊと、入力した文字や数字を消去するためのクリアボタン５２と、上下左右の各方向に操作可能な十字ボタン５３（５３ａ〜５３ｄの総称）とを有する。また、リモコン５は、各種入力を確定するための決定ボタン５４と、再生ボタン５５と、録画ボタン５６と、印刷ボタン５７と、メニューボタン５８と、ＤＶＤレコーダ電源ボタン５９と、ＴＶ受像機２に対してユーザによる操作に応じたリモコン信号を送信するための信号送信部５０とをさらに有する。
【００３６】
再生ボタン５５は、ＤＶＤレコーダ３に対して、ＨＤＤ３６に記録されたコンテンツやＤＶＤディスクＤに記録されたコンテンツの再生を指示するためのものである。録画ボタン５６は、ＤＶＤレコーダ３に対して、ＨＤＤ３６やＤＶＤディスクＤにＴＶ番組の録画を行うように指示するためのものである。
【００３７】
印刷ボタン５７は、ＤＶＤレコーダ３に対して、任意の画像の印刷を行うように指示するためのものである。具体的には、例えば、コンテンツを再生中に、ユーザによって印刷ボタン５７が押下されると、ＤＶＤレコーダ３の印刷データ生成送信部３０ｄが、表示中の画像に基づく印刷データを生成し、生成した印刷データをプリンタ４に送信する。そして、プリンタ４が、受信した印刷データに基づき、印刷処理を行う。
【００３８】
メニューボタン５８は、各種動作の選択画面であるメニュー画面をＴＶ受像機２のディスプレイ２２に表示させるためのものである。ユーザはメニュー画面上の各種動作を選択することにより、ＴＶ受像機２に対して、例えば、ダビング処理の実行や、任意の画像の印刷処理等の開始を指示することができる。
【００３９】
ＤＶＤレコーダ電源ボタン５９は、ＤＶＤレコーダ３に対して電源のオン／オフを指示するためのボタンである。ユーザによってＤＶＤレコーダ電源ボタン５９が操作されると、ＤＶＤレコーダ３の電源がオン／オフされる。
【００４０】
図５に示すように、プリンタ４は、ＤＶＤレコーダ３に接続されたＵＳＢケーブル７の他端が接続されるＵＳＢインターフェース４１と、搬送ローラや駆動モータ等から構成され、印刷用紙Ｐ等を所定方向に搬送する用紙搬送機構４２と、用紙搬送機構４２により所定方向に搬送される印刷用紙Ｐ等に、インクを吐出することによって画像を形成する画像形成部（画像形成手段）４３と、各種情報が記憶されるメモリ４４と、プリンタ４の各部を制御する制御用マイコン（画像形成装置制御手段）４０とを備える。
【００４１】
用紙搬送機構４２は、印刷用紙Ｐに加えて、印刷可能な面（以下、印刷面という）Ｄａを有する（所謂、レーベルプリント対応）ＤＶＤディスクＤを所定方向に搬送する。このとき、ＤＶＤディスクＤは搬送用トレーＴに載置され、用紙搬送機構４２は、搬送用トレーＴを搬送することによってＤＶＤディスクＤを搬送する。
【００４２】
画像形成部４３は、印刷用紙Ｐや、レーベルプリント対応のＤＶＤディスクＤの印刷面Ｄａ上にインクを吐出することによって画像を形成可能である。
【００４３】
メモリ４４には、制御用マイコン４０を動作させるためのプログラム４４ａが記憶される。制御用マイコン４０は、ＤＶＤレコーダ３から送信される印刷データを受信する印刷データ受信部（印刷データ受信手段）４０ａを有する。制御用マイコン４０は、印刷データ受信部４０ａによって受信された印刷データの内容に基づいて、用紙搬送機構４２及び画像形成部４３を制御駆動させて印刷を行う。
【００４４】
印刷機能付きダビングシステム１は、上述したようにＤＶＤレコーダ３を用いてダビング処理ができ、プリンタ４を用いて印刷処理ができ、さらに、ダビング処理と、コンテンツに関する画像や情報を印刷する印刷処理とを含む一連の処理（以下、ダビング印刷処理という）を行うことが可能である。ダビング印刷処理の詳細については後述する。
【００４５】
次に、印刷機能付きダビングシステム１におけるダビング印刷処理の手順について、図６に示すフローチャートを参照して説明する。ここでは、予めＤＶＤレコーダ３の光ディスクドライブ３８にＤＶＤディスクＤが装着され、ユーザによってコンテンツのダビング処理が指示されたものとする。
【００４６】
まず、ＤＶＤレコーダ３の制御用マイコン３０は、ダビング処理部３０ｃを用いてコンテンツのダビングを開始し（Ｓ１）、再生処理部３０ａを用いてダビング中のコンテンツの画像をＴＶ受像機２に出力してＴＶ受像機２のディスプレイ２２に表示させる（Ｓ２）。
【００４７】
そして、ユーザによって、リモコン５の印刷ボタン５７が操作されると（Ｓ３）、すなわち、ダビング中のコンテンツの画像の中から、ユーザによって印刷したい画像が選択されると、ＤＶＤレコーダ３の制御用マイコン３０は、印刷ボタン５７が操作された時点のコンテンツの画像（フレーム画像）を一時的にメモリ３５に記憶する（Ｓ４）。
【００４８】
そして、ＤＶＤレコーダ３の制御用マイコン３０は、コンテンツのダビングが終了したときに（Ｓ５でＹＥＳ）、印刷データ生成送信部３０ｄを用いて、メモリ３５に一時的に記憶されている画像に基づく印刷データを生成し、生成した印刷データをプリンタ４に送信する（Ｓ６）。
【００４９】
そして、プリンタ４の制御用マイコン４０は、印刷データ受信部４０ａを用いて、ＤＶＤレコーダ３から送信された印刷データを受信し（Ｓ７）、受信した印刷データに基づき、用紙搬送機構４２及び画像形成部４３を用いて、印刷用紙Ｐや、レーベルプリント対応のＤＶＤディスクＤの印刷面Ｄａに印刷を行う（Ｓ８）。なお、上記Ｓ６において、ＤＶＤレコーダ３の制御用マイコン３０は、印刷データ生成送信部３０ｄを用いて、メモリ３５に一時的に記憶されている画像に加えて、ダビングしたコンテンツの内容を示すコンテンツ情報（具体的には例えば、コンテンツのタイトル名やコンテンツのあらすじ等の文字情報に基づく印刷データ（以下、情報印刷データという））を生成し、生成した情報印刷データをプリンタ４に送信してもよい。この場合、上記Ｓ８において、プリンタ４の制御用マイコン４０は、画像に基づく印刷データと、コンテンツ情報に基づく情報印刷データとに基づき、用紙搬送機構４２及び画像形成部４３を用いて、印刷用紙Ｐや、レーベルプリント対応のＤＶＤディスクＤの印刷面Ｄａに画像とコンテンツ情報の印刷を行う。
【００５０】
上述したように、本実施形態に係る印刷機能付きダビングシステム１においては、ＤＶＤレコーダ３が、コンテンツをダビングしているときに、ダビング中のコンテンツの画像をＴＶ受像機２のディスプレイ２２に表示させ、ユーザによって印刷ボタン５７が操作されてダビング中のコンテンツの画像の中から印刷したい画像が選択されると、ダビングが終了したときに、選択された画像に基づく印刷データをプリンタ４に送信する。そして、プリンタ４は、ＤＶＤレコーダ３から受信した印刷データに基づき、印刷用紙ＰやＤＶＤディスクＤの印刷面Ｄａに画像やコンテンツ情報を印刷する。そのため、コンテンツのダビング時に、ダビングするコンテンツ内の任意の画像を印刷する際に、ユーザは、ダビング中に、コンテンツの画像の中から印刷したい画像を選択することができる。従って、従来のようにダビング終了後にコンテンツを表示させる必要がなくなり、ダビングを開始してから、ダビングするコンテンツ内の任意の画像の印刷完了までに要する時間を短縮でき、ユーザにとって使い勝手が良くなる。
【００５１】
また、ＤＶＤレコーダ３は、コンテンツのダビングが終了したときに、選択された画像に基づく印刷データに加えて、ダビングしたコンテンツの内容を示すコンテンツ情報に基づく情報印刷データをプリンタ４に送信し、プリンタ４は、印刷データと情報印刷データとに基づき、印刷用紙ＰやＤＶＤディスクＤの印刷面Ｄａに画像やコンテンツ情報を印刷する。そのため、上記の選択された画像に加えて、コンテンツ情報を印刷用紙ＰやＤＶＤディスクＤの印刷面Ｄａに印刷することができるので、ＤＶＤディスクＤにダビングされたコンテンツの内容が分かりやすくなり、ユーザにとって使い勝手がさらに良くなる。
【００５２】
また、プリンタ４は、印刷データに基づき、ＤＶＤディスクＤの印刷面Ｄａに、ダビング中のコンテンツの中から選択された画像を印刷可能であるため、ユーザは、ＤＶＤディスクＤの印刷面Ｄａに形成された画像を見て、ダビングしたコンテンツの内容をすぐに判別することができる。
【００５３】
なお、本実施形態に係る印刷機能付きダビングシステム１は、図７に示すように、ＤＶＤレコーダ３に、ビデオカメラＣ１やデジタルカメラＣ２や携帯電話Ｃ３を接続し、これらの機器Ｃ１〜Ｃ３内のデータをＤＶＤディスクＤにダビングする際に、上記図６に示したダビング印刷処理を適用して、ダビング中に、各機器Ｃ１〜Ｃ３内の画像をＴＶ画像に表示させ、ユーザによって印刷ボタン５７を操作された時の表示画像（再生画像）を、ダビング終了後にプリンタ４を用いて印刷するものであってもよい。この場合であっても、ビデオカメラＣ１やデジタルカメラＣ２や携帯電話Ｃ３内の画像データ等のダビング終了後に、各機器Ｃ１〜Ｃ３内の各画像データ等を表示させる必要がなくなり、ダビングを開始してから、ダビングするコンテンツ内の任意の画像の印刷完了までに要する時間を短縮でき、ユーザにとって使い勝手が良くなる。
【００５４】
次に、本発明の第２の実施形態に係る印刷機能付きダビングシステムについて、図８乃至図１０を参照して説明する。本実施形態に係る印刷機能付きダビングシステム１は、ＴＶ受像機２と、印刷可能なプリンタ部８が筐体内に一体的に形成されているＤＶＤレコーダ３とを含むものである。図８は、印刷機能付きダビングシステム１の概略構成を示し、図９は、ＤＶＤレコーダ３の概略構成を示し、図１０は、プリンタ部８の概略構成を示す。なお、ＴＶ受像機２の構成は前出の図２と同一であり、リモコン５の構成は前出の図４と同一であるため、その説明を省略する。また、第１の実施形態に示した部材と同一のものは同一符号を示し、その説明を省略する。
【００５５】
図９に示すように、ＤＶＤレコーダ３は、プリンタ部８をさらに備え、制御用マイコン３０が、印刷データ生成送信部３０ｄの代わりに印刷処理部３０ｅを有すること以外は、第１の実施形態に示すＤＶＤレコーダ３の構成と同じである。印刷処理部３０ｅは、プリンタドライバ３５ｂを用いて印刷データを生成し、印刷データに基づき、プリンタ部８を稼動させて印刷する処理を行う。
【００５６】
図１０に示すように、プリンタ部８は、搬送ローラや駆動モータ等から構成され、印刷用紙Ｐや搬送用トレーＴに載置されたＤＶＤディスクＤを所定方向に搬送する用紙搬送機構８１と、用紙搬送機構８１により所定方向に搬送される印刷用紙ＰやＤＶＤディスクＤの印刷面Ｄａに、インクを吐出することによって画像を形成する画像形成部８２とを備える。
【００５７】
用紙搬送機構８１は、光ディスクドライブ３８に装着されているＤＶＤディスクＤを、搬送ローラを駆動することによって所定方向に搬送可能な構成である。搬送されたＤＶＤディスクＤは、画像形成部８２によって印刷面Ｄａに画像等が印刷される。
【００５８】
印刷機能付きダビングシステム１は、ＤＶＤレコーダ３によるダビング処理と、プリンタ部８を用いた印刷処理とを実行可能であり、さらに、ダビング処理と、コンテンツに関する画像や情報を印刷する印刷処理とを含む一連の処理（ダビング印刷処理）を実行可能である。
【００５９】
次に、印刷機能付きダビングシステム１におけるダビング印刷処理の手順について、図１１に示すフローチャートを参照して説明する。ここでは、予めＤＶＤレコーダ３の光ディスクドライブ３８にＤＶＤディスクＤが装着され、ユーザによってコンテンツのダビング処理が指示されたものとする。なお、本処理におけるＳ１１〜Ｓ１５までの処理は、前出の図６に示すＳ１〜Ｓ５に相当するため、その説明を省略し、Ｓ１６以降について説明する。
【００６０】
ＤＶＤレコーダ３の制御用マイコン３０は、コンテンツのダビングが終了したときに（Ｓ１５でＹＥＳ）、印刷処理部３０ｅを用いて、メモリ３５に一時的に記憶されている画像に基づく印刷データを生成し、生成した印刷データをプリンタ部８に送信する（Ｓ１６）。
【００６１】
プリンタ部８は、印刷処理部３０ｅによって生成された印刷データに基づき、用紙搬送機構８１及び画像形成部８２を用いて、印刷用紙Ｐや、レーベルプリント対応のＤＶＤディスクＤの印刷面Ｄａに印刷を行う。なお、上記Ｓ１６において、ＤＶＤレコーダ３の制御用マイコン３０は、印刷処理部３０ｅを用いて、メモリ３５に一時的に記憶されている画像に加えて、ダビングしたコンテンツのタイトル名やコンテンツのあらすじ等の文字情報に基づく情報印刷データを生成してもよい。この場合、上記Ｓ１７において、プリンタ部８は、ユーザによって選択された画像に基づく印刷データと、コンテンツ情報に基づく情報印刷データとに基づき、用紙搬送機構８１及び画像形成部８２を用いて、印刷用紙Ｐや、レーベルプリント対応のＤＶＤディスクＤの印刷面Ｄａに画像とコンテンツ情報の印刷を行う。
【００６２】
上述したように、本実施形態に係る印刷機能付きダビングシステム１においては、ＤＶＤレコーダ３と、印刷を行うプリンタ部８とは、ＤＶＤレコーダ３の筐体内に一体的に形成されているので、ＵＳＢケーブル等の外部伝送ケーブルを用いることなしに、ＤＶＤレコーダ３はプリンタ部８に印刷データを送信できるため、印刷データの送受信が容易となる。また、１つの筐体でダビング処理と印刷処理を行うことができるため、ＤＶＤレコーダ３とプリンタ部８とが別筐体である場合と比較して、必要なスペースが少なくなり、ユーザにとって使い勝手が良くなる。
【００６３】
なお、本実施形態に係る印刷機能付きダビングシステム１は、図１２に示すように、ＤＶＤレコーダ３に、ビデオカメラＣ１やデジタルカメラＣ２や携帯電話Ｃ３を接続し、これらの機器Ｃ１〜Ｃ３内のデータをＤＶＤディスクＤにダビングする際に、上記図１１に示したダビング印刷処理を適用して、ダビング中に、各機器Ｃ１〜Ｃ３内の画像をＴＶ画像に表示させ、ユーザによって印刷ボタン５７を操作された時の表示画像（再生画像）を、ダビング終了後にプリンタ部８を用いて印刷するものであってもよい。この場合であっても、ビデオカメラＣ１やデジタルカメラＣ２や携帯電話Ｃ３内の画像データ等のダビング終了後に、各機器Ｃ１〜Ｃ３内の各画像データ等を表示させる必要がなくなり、ダビングを開始してから、ダビングするコンテンツ内の任意の画像の印刷完了までに要する時間を短縮でき、ユーザにとって使い勝手が良くなる。
【００６４】
また、本発明は、上記各実施形態の構成に限られず、発明の趣旨を変更しない範囲で種々の変形が可能である。例えば、上記各実施形態において、請求項における光ディスク装置がＤＶＤレコーダである場合の例を示したが、光ディスク装置はこれに限られず、例えばブルーレイディスクレコーダ等の何らかの光ディスクにコンテンツをダビング可能な装置であればよい。
【符号の説明】
【００６５】
１  印刷機能付きダビングシステム
２  ＴＶ受像機（外部機器）
３  ＤＶＤレコーダ（光ディスク装置）
４  プリンタ（画像形成装置）
５  リモコン（操作手段）
８  プリンタ部（画像形成装置）
３０  制御用マイコン（光ディスク装置制御手段）
３６  ＨＤＤ（記録媒体）
３８  光ディスクドライブ（装着部）
４０  制御用マイコン（画像形成装置制御手段）
４３  画像形成部（画像形成手段）
８２  画像形成部（画像形成手段）
３０ａ  再生処理部（画像出力手段）
３０ｃ  ダビング処理部（ダビング手段）
３０ｄ  印刷データ生成送信部（印刷データ送信手段）
４０ａ  印刷データ受信部（印刷データ受信手段）
ｄ  ＤＶＤディスク（光ディスク）
Ｄａ  印刷面
【図１】
2011198418.tif 000003
【図２】
2011198418.tif 000004
【図３】
2011198418.tif 000005
【図４】
2011198418.tif 000006
【図５】
2011198418.tif 000007
【図６】
2011198418.tif 000008
【図７】
2011198418.tif 000009
【図８】
2011198418.tif 000010
【図９】
2011198418.tif 000011
【図１０】
2011198418.tif 000012
【図１１】
2011198418.tif 000013
【図１２】
2011198418.tif 000014
【図１３】
2011198418.tif 000015